(57)【特許請求の範囲】
【請求項１】
複数のセラミックス層からなる積層体内に、複数のコイル導体とこれらコイル導体を接続するビアホール導体により同一の方向を有するとともに互いに異なるコイル軸をそれぞれ有する螺旋状の第１コイル及び第２コイルが形成され、これら第１コイル及び第２コイルの両端部が前記積層体に形成された入力側外部電極のそれぞれと出力側外部電極のそれぞれに接続されてなる積層コモンモードチョークコイルであって、
前記入力側外部電極は前記積層体の第１の側面に形成され、前記出力側外部電極は前記積層体の第１の側面とは対向する第２の側面に形成されており、
前記第１コイルのコイル軸と第２コイルのコイル軸とは前記積層体の積層方向に対して垂直な方向に相互に変位しており、
前記第１コイル及び第２コイルはそのコイル軸の方向から見て相互に重なる重なり部分を有し、
前記第１コイル及び第２コイルは互いに対応するコイル導体が該コイル導体の長手方向に重ならないように前記積層体の積層方向に対して垂直な方向であって前記入力側外部電極及び前記出力側外部電極が形成されていない前記積層体の側面に向かって相互に変位して形成されていること、
を特徴とする積層コモンモードチョークコイル。
【請求項２】
前記第１コイルを構成するコイル導体と第２コイルを構成するコイル導体とは同じセラミックス層に配置されていることを特徴とする請求項１に記載の積層コモンモードチョークコイル。
【請求項３】
前記第１コイルのコイル導体が配置されたセラミックス層と該コイル導体に対応する第２コイルのコイル導体が配置されたセラミックス層とが交互に積層されていることを特徴とする請求項１に記載の積層コモンモードチョークコイル。
【請求項４】
前記第１コイルと第２コイルとは、磁気結合係数が０．２〜０．６で磁気結合していることを特徴とする請求項１ないし請求項３のいずれかに記載の積層コモンモードチョークコイル。
【請求項５】
前記積層体の積層方向に関して前記第１コイルの巻回方向と第２コイルの巻回方向とが互いに逆方向であることを特徴とする請求項１ないし請求項４のいずれかに記載の積層コモンモードチョークコイル。
【発明の詳細な説明】
【技術分野】
【０００１】
本発明は、積層コモンモードチョークコイルに関し、特に、セラミックス積層体内に形成されたコイルによりノイズを除去する積層コモンモードチョークコイルに関する。
【背景技術】
【０００２】
一般に、コモンモードチョークコイルは、図１５に示すような回路構成を有している。即ち、入力端子１ａと出力端子２ａとの間に第１コイルＬａが接続され、いま一つの入力端子１ｂと出力端子２ｂとの間に第２コイルＬｂが接続されている。第１コイルＬａと第２コイルＬｂは、入力側（もしくは出力側）から見て同じ巻回方向を有しており、入力端子１ａ，１ｂにそれぞれ同相（コモンモード）で入力するノイズは、第１コイルＬａと第２コイルＬｂの電磁的な作用により減衰される。また、第１コイルＬａと第２コイルＬｂとの結合係数が適切な値を有しているときは、異なる位相（ノーマルモード）で入力するノイズも減衰される。
【０００３】
従来、前述のような回路構成を有する積層コモンモードチョークコイルとしては、例えば、特許文献１，２に開示されたものが周知である。これら特許文献１，２に開示されたものはいずれも、第１コイルＬａ及び第２コイルＬｂが同じコイル軸を有している。
【０００４】
即ち、特許文献１に記載の積層型コモンモードチョークコイル５０（図１６〜図１８参照）は、絶縁性シート５１ａ，…，５１ａ及び絶縁性シート５１ｂ，…，５１ｂを積層するとともに上下にそれぞれカバーシート５２，５２を一体的に積層して焼成してなる積層体５０ａ内に、積層方向に合致する同一のコイル軸Ａｘを有する第１コイルＬａ及び第２コイルＬｂを形成してなるものである。
【０００５】
第１コイルＬａは、絶縁性シート５１ａ，…，５１ａに形成されたコイル導体５３ａ，…，５３ａを、ビアホール導体５４ａ，…，５４ａにより直列に接続することにより構成されている。第２コイルＬｂも、絶縁性シート５１ｂ，…，５１ｂに形成されたコイル導体５３ｂ，…，５３ｂを、ビアホール導体５４ｂ，…，５４ｂにより直列に接続することにより構成されている。第１コイルＬａ及び第２コイルＬｂのそれぞれの一端側に位置するコイル導体５３ａ，５３ｂは、積層体５０ａに形成された入力側外部電極１ａ，１ｂにそれぞれ引き出されて電気的に接続されている。第１コイルＬａ及び第２コイルＬｂのそれぞれの他端側に位置するコイル導体５３ａ，５３ｂは、積層体５０ａに形成された出力側外部電極２ａ，２ｂにそれぞれ引き出されて電気的に接続されている。
【０００６】
また、特許文献２に開示された積層チップコモンモードチョークコイル６０（図１９参照）は、前記積層型コモンモードチョークコイル５０において、コイル導体５３ａを形成した絶縁性シート５１ａとコイル導体５３ｂを形成した絶縁性シート５１ｂとを交互に積層した構成を有している。
【０００７】
即ち、第１コイルＬａのコイル導体５３ａ，…，５３ａは、互いに隣り合うコイル導体５３ａ，５３ａがその間に位置する絶縁性シート５１ｂに形成されたビアホール導体５４ａにより直列に接続されている。また、第２コイルＬｂのコイル導体５３ｂ，…，５３ｂは、互いに隣り合うコイル導体５３ｂ，５３ｂがその間に位置する絶縁性シート５１ａに形成されたビアホール導体５４ｂにより直列に接続されている。これら第１コイルＬａ及び第２コイルＬｂは、積層方向に合致する同一のコイル軸Ａｘを有している。
【０００８】
ところで、特許文献１に記載の積層型コモンモードチョークコイル５０は、図１７に示すように、同一のコイル軸Ａｘを有する第１コイルＬａと第２コイルＬｂとが積層体５０ａ内にて間隔Ｄを有して形成された構成を有しているので、この間隔Ｄにより第１コイルＬａと第２コイルＬｂの結合係数を適切な値とすることができ、コモンモードインピーダンスばかりでなくノーマルモードインピーダンスも高いものを得ることができる。このため、積層型コモンモードチョークコイル５０はコモンモードノイズ及びノーマルモードノイズの除去効果も有しており、比較的伝送信号速度の遅い音声信号ラインなどに用いられている。
【０００９】
しかしながら、前記積層型コモンモードチョークコイル５０にあっては、高周波特性を向上させるためには、第１コイルＬａ及び第２コイルＬｂのコイル長を長くしたり、第１コイルＬａと第２コイルＬｂとの間隔Ｄを大きくしたり、該間隔Ｄ部分の材料を他の部分の材料とは異なるセラミックス材料を使用し、両者の間に発生する浮遊容量を小さくする必要がある。このように、高周波特性の向上のため、第１コイルＬａ及び第２コイルＬｂのコイル長を長くしたり、間隔Ｄを大きくすると、積層型コモンモードチョークコイル５０のサイズが大型化するという問題点があった。また、間隔Ｄ部分の材料として、他の部分とは異なるセラミックス材料を使用すると、積層体５０の焼成時にクラック等が発生するという問題点があった。
【００１０】
他方、前記積層チップコモンモードチョークコイル６０では、コイル導体５３ａを形成した絶縁性シート５１ａとコイル導体５３ｂを形成した絶縁性シート５１ｂとを交互に積層した構成を有し、第１コイルＬａと第２コイルＬｂは積層方向に関してほぼ同じ位置（高さ位置）に配置されるので形状は小型化される。しかしながら、第１コイルＬａのコイル導体５３ａ，…，５３ａと第２コイルＬｂのコイル導体５３ｂ，…，５３ｂとが互いに近接して配置されるので、第１コイルＬａと第２コイルＬｂとの間に発生する浮遊容量が大きくなり、高周波特性が悪化するという問題点があった。
【特許文献１】特許２９５８５２３号公報
【特許文献２】特許２８１７４５３号公報
【発明の開示】
【発明が解決しようとする課題】
【００１１】
そこで、本発明の目的は、良好な高周波特性を有するとともにコモンモードノイズ及びノーマルモードノイズの双方を除去することができる小型の積層コモンモードチョークコイルを提供することにある。
【課題を解決するための手段】
【００１２】
前記目的を達成するため、本発明に係る積層コモンモードチョークコイルは、
複数のセラミックス層からなる積層体内に、複数のコイル導体とこれらコイル導体を接続するビアホール導体により同一の方向を有するとともに互いに異なるコイル軸をそれぞれ有する螺旋状の第１コイル及び第２コイルが形成され、これら第１コイル及び第２コイルの両端部が前記積層体に形成された入力側外部電極のそれぞれと出力側外部電極のそれぞれに接続されてなる積層コモンモードチョークコイルであって、
前記入力側外部電極は前記積層体の第１の側面に形成され、前記出力側外部電極は前記積層体の第１の側面とは対向する第２の側面に形成されており、
前記第１コイルのコイル軸と第２コイルのコイル軸とは前記積層体の積層方向に対して垂直な方向に相互に変位しており、
前記第１コイル及び第２コイルはそのコイル軸の方向から見て相互に重なる重なり部分を有し、
前記第１コイル及び第２コイルは互いに対応するコイル導体が該コイル導体の長手方向に重ならないように前記積層体の積層方向に対して垂直な方向であって前記入力側外部電極及び前記出力側外部電極が形成されていない前記積層体の側面に向かって相互に変位して形成されていること、
を特徴とする。
【００１３】
本発明に係る積層コモンモードチョークコイルにおいて、第１コイル及び第２コイルのそれぞれの対応するコイル導体が、該コイル導体の長手方向に重ならないように積層体の積層方向に対して垂直な方向に相互に変位しているので、セラミックス層を間にして第１コイル及び第２コイルのそれぞれの対応するコイル導体が対向することがなく、第１コイルと第２コイルとの間に発生する浮遊容量が小さくなる。これにより、高周波領域におけるコモンモード及びノーマルモードのノイズ除去特性が大幅に改善される。
【００１４】
本発明に係る積層コモンモードチョークコイルは、第１コイルを構成するコイル導体と第２コイルを構成するコイル導体とは同じセラミックス層に配置されていてもよい。これにて、積層体のサイズが小さくなり、小型の積層コモンモードチョークコイルを得ることができる。
【００１５】
また、前記第１コイルのコイル導体が配置されたセラミックス層と該コイル導体に対応する第２コイルのコイル導体が配置されたセラミックス層とが交互に積層されていてもよい。これにて、第１コイルのコイル導体と第２コイルのコイル導体との距離が大きくなり、その間の浮遊容量がさらに小さくなる。その結果、高周波領域における積層コモンモードチョークコイルのコモンモード及びノーマルモードのノイズ除去特性が大幅に改善される。
【００１６】
さらに、第１コイルと第２コイルとは、磁気結合係数が０．２〜０．６で磁気結合していることが好ましい。第１コイルと第２コイルが最適な磁気結合係数を有することにより、コモンモードノイズ及びノーマルモードノイズの両方を有効に除去することができる。
【００１７】
さらに、積層体の積層方向に関して第１コイルの巻回方向と第２コイルの巻回方向とが互いに逆方向であることが好ましい。これにて、第１コイルのコイル導体と第２コイルの対応するコイル導体の間の距離が大幅に大きくなる。そして、第１コイルのコイル導体と第２コイルのコイル導体との距離が大きくなり、その間の浮遊容量がさらに小さくなり、高周波領域における積層コモンモードチョークコイルのコモンモード及びノーマルモードのノイズ除去特性がさらに改善される。
【発明の効果】
【００１８】
本発明によれば、第１コイルのコイル導体と第２コイルのコイル導体の間の浮遊容量が小さくなり、高周波領域におけるコモンモード並びにノーマルモードのノイズ除去特性が大幅に改善される。これにより、小型で、優れたノイズ除去特性を有する積層コモンモードチョークコイルを得ることができる。
【発明を実施するための最良の形態】
【００１９】
以下、本発明に係る積層コモンモードチョークコイルの実施例を添付図面を参照して説明する。
【００２０】
（第１実施例、図１〜図６参照）
本発明の第１実施例である積層コモンモードチョークコイルの構成を図１に、また、その全体の外観を図２に示す。この積層コモンモードチョークコイル１０は、後述する磁性体材料を含むセラミックスシート（グリーンシート）を積層し焼結してなる磁性体セラミックス層１１，…，１１及びその上下にそれぞれ積層されるカバー用の磁性体セラミックス層１２，…，１２からなるセラミックス積層体１０ａ内に、図１５を用いて説明した一般的なコモンモードチョークコイルの回路構成における第１コイルＬａ及び第２コイルＬｂを、次のような位置関係を有するように形成してなるものである。
【００２１】
即ち、第１コイルＬａ及び第２コイルＬｂは、図３に示すように、積層体１０ａの積層方向に対して垂直な方向に互いに距離ｄ離れたコイル軸Ａｘａ及びＡｘｂをそれぞれ有するように形成されている。そして、第１コイルのコイル軸Ａｘａと第２コイルのコイル軸Ａｘｂは積層方向に対して垂直な方向に相互に距離ｄだけ変位していることにより、第１コイルＬａ及び第２コイルＬｂはセラミックス層１１，…，１１の積層方向から見て部分的に相互に重なる重なり部分Ｓｐ（図４参照）を有している。
【００２２】
第１コイルＬａは、セラミックス層１１，…，１１に形成されたコイル導体１３ａ，…，１３ａを、セラミックス層１１，…，１１に形成されたビアホール導体１４ａ，…，１４ａにより直列に接続することにより螺旋状に形成されている。第２コイルＬｂも、セラミックス層１１，…，１１に形成されたコイル導体１３ｂ，…，１３ｂを、セラミックス層１１，…，１１に形成されたビアホール導体１４ｂ，…，１４ｂにより直列に接続することにより螺旋状に形成されている。
【００２３】
そして、本実施例にあっては、図１に示すように、第１コイルＬａ及び第２コイルＬｂのそれぞれの対応するコイル導体１３ａ，１３ｂは同じパターン形状及び寸法を有しており、かつ、一方が他方に対してセラミックス層１１の長手方向に沿って互いに平行移動した状態で同一のセラミックス層１１の一つの主面上に重ならないように形成されている。これにより、第１コイルＬａと第２コイルＬｂは、前述したように、コイル軸Ａｘａとコイル軸Ａｘｂとがセラミックス層１１，…，１１の積層方向に対して垂直な方向に相互に距離ｄだけ変位して形成される。第１コイルＬａと第２コイルＬｂは、同じコイル長及びコイル径を有するとともに、セラミックス層１１，…，１１の積層方向に関して同じ巻回方向を有している。
【００２４】
第１コイルＬａ及び第２コイルＬｂのそれぞれの一端側に位置するコイル導体１３ａ，１３ｂは、カバー用のセラミックス層１２に形成された引出用導体１５ａ，１５ｂを通して、積層体１０ａに形成された入力側外部電極１ａ，１ｂにそれぞれ電気的に接続されている。また、第１コイルＬａ及び第２コイルＬｂのそれぞれの他端側に位置するコイル導体１３ａ，１３ｂは、カバー用のセラミックス層１２に形成された引出用導体１６ａ，１６ｂを通して、積層体１０ａに形成された出力側外部電極２ａ，２ｂにそれぞれ引き出されて電気的に接続されている。
【００２５】
なお、図１に示すセラミックス層１１，…，１１及びその上側及び下側にそれぞれ積層されたカバー用のセラミックス層１２，…，１２は、いずれも、磁性体セラミックス材料をドクターブレード法や引き上げ法などの手法で成形した図示しないセラミックスシート（グリーンシート）を積層及び圧着し焼成して積層体１０ａを形成する際に、セラミックスシートが焼結されて形成されるものである。
【００２６】
本実施例では、既に述べたように、第１コイルＬａのコイル軸Ａｘａと第２コイルＬｂのコイル軸Ａｘｂは、積層方向に対して垂直な方向に相互に距離ｄだけ変位しており、第１コイルＬａ及び第２コイルＬｂは積層方向から見て部分的に相互に重なる重なり部分Ｓｐを有しているが、第１コイルＬａと第２コイルＬｂとの結合係数は、図４及び図５にそれぞれ示す第１コイルＬａと第２コイルＬｂとの重なり面積Ｓｐと（第１コイルＬａもしくは）第２コイルＬｂの面積Ｓｔとの比Ｓｐ／Ｓｔにより、次の表１で示すように変化した。
【００２７】
【表１】
0004752368.tif 000002
【００２８】
ところで、一般に、コモンモードチョークコイルに対して、コモンモードとノーマルモードの両ノイズの除去効果を有するようにするためには、コモンモードチョークコイルを構成する二つのコイルの結合係数は０．２〜０．６程度の値を有することが必要である。これは、結合係数が０．２よりも小さくなるとコモンモードノイズの除去特性が悪くなり、結合係数が０．６よりも大きくなるとノーマルモードノイズの除去特性が悪くなるからである。このため、本実施例では、前記表１の結果から、第１コイルＬａと第２コイルＬｂとの重なり面積Ｓｐと（第１コイルＬａもしくは）第２コイルＬｂの面積Ｓｔとの比Ｓｐ／Ｓｔを、０．３５〜０．６となるようにしている。
【００２９】
本実施例にあっては、第１コイルＬａ及び第２コイルＬｂのそれぞれの対応するコイル導体１３ａ，１３ｂが同一のセラミックス層１１の主面上に、一方が他方に対してセラミックス層１１の長手方向に沿って互いに平行移動した状態で重ならないように形成されているので、セラミックス層１１を間にして第１コイルＬａ及び第２コイルＬｂのそれぞれの対応するコイル導体１３ａ，１３ｂが対向することがない。これにより、第１コイルＬａと第２コイルＬｂとの間に発生する浮遊容量が大幅に減少し、高周波領域における積層コモンモードチョークコイル１０のコモンモード及びノーマルモードのノイズ除去特性が大幅に改善される。
【００３０】
また、第１コイルＬａのコイル軸Ａｘａと第２コイルＬｂのコイル軸Ａｘｂは、セラミックス層１１，…，１１の積層方向に対して垂直な方向に相互に距離ｄだけ変位し、第１コイルＬａと第２コイルＬｂとの重なり面積Ｓｐと（第１コイルＬａもしくは）第２コイルＬｂの面積Ｓｔとの比Ｓｐ／Ｓｔが０．３５〜０．６で、第１コイルＬａ及び第２コイルＬｂの結合係数が０．２〜０．６程度の値となるようにしているので、コモンモードとノーマルモードの両ノイズに対して高い除去効果を有している。
【００３１】
次に、本実施例と比較例について説明する。Ｎｉ−Ｃｕ−Ｚｎフェライト粉末（μ＝１００）、分散剤、バインダ及び溶剤を混練してなるスラリを、ドクターブレード法を用いて、厚みが３０μｍの長尺のセラミックスグリーンシートに成形した。得られた長尺のセラミックスグリーンシートに、炭酸ガスレーザを用いてビアホール導体１４ａ，１４ｂの形成用の孔を所定の位置に形成した。その後、Ａｇペーストを用いて、第１コイルＬａ及び第２コイルＬｂのコイル導体１３ａ，１３ｂのパターンを印刷した。
【００３２】
このようにしてビアホール導体１４ａ，１４ｂの形成用の孔、コイル導体１３ａ，１３ｂのパターンを形成した長尺のセラミックスグリーンシートを、第１コイルＬａ及び第２コイルＬｂをそれぞれ構成するコイル導体１３ａ，１３ｂに対応して製作し、これらセラミックスグリーンシートを積層するとともに、その上側及び下側に、引出用導体１５ａ，１５ｂ，１６ａ，１６ｂをそれぞれ印刷したものを含むセラミックスグリーンシートを積層して全体を圧着した。
【００３３】
このようにして得られた長尺のセラミックスグリーンシートの圧着体を、第１コイルＬａ及び第２コイルＬｂを含むユニットに切断した。次いで、得られたユニットを脱バインダした後、８７０〜９００℃で焼成し、セラミックス積層体１０ａを製造した。このようにして製造したセラミックス積層体１０ａには、Ａｇペーストの焼付け、その上にＮｉ／Ｓｎメッキを施すことにより入力側外部電極１ａ，１ｂ及び出力側外部電極２ａ，２ｂを形成し、第１コイルＬａ及び第２コイルＬｂの結合係数が０．４で、寸法が１．２ｍｍ×１．０ｍｍ×０．５ｍｍの積層コモンモードチョークコイル１０を製作した。
【００３４】
一方、比較例１として特許文献１に記載の積層型コモンモードチョークコイル５０を製作した。また、比較例２として特許文献２に記載の積層チップコモンモードチョークコイル６０を製作した。なお、比較例２では、図６に示すように、第１コイルＬａと第２コイルＬｂとが長手方向において積層方向に部分的に重なるように導体パターン５３ａ，５３ｂを形成した。
【００３５】
本実施例と比較例１のコモンモード及びノーマルモードにおけるインピーダンス−周波数特性を図７に示す。この図７において、曲線ｈｃは本実施例のコモンモードにおけるインピーダンス−周波数特性を、曲線ｈｎは本実施例のノーマルモードにおけるインピーダンス−周波数特性をそれぞれ示しており、曲線ｐｃは比較例１のコモンモードにおけるインピーダンス−周波数特性を、曲線ｐｎは比較例１のノーマルモードにおけるインピーダンス−周波数特性をそれぞれ示している。また、本実施例と比較例２のコモンモード及びノーマルモードにおけるインピーダンス−周波数特性を図８に示す。この図８において、曲線ｐｃは比較例２のコモンモードにおけるインピーダンス−周波数特性を、曲線ｐｎは比較例２のノーマルモードにおけるインピーダンス−周波数特性をそれぞれ示している。
【００３６】
図７及び図８から明らかなように、本実施例では、比較例１及び比較例２に比較して、コモンモード及びノーマルモードにおいて、高い周波数域におけるインピーダンス−周波数特性が大幅に改善されていることが分かる。
【００３７】
（第２実施例、図９〜図１１参照）
本発明の第２実施例である積層コモンモードチョークコイル２０の分解斜視図を図９に、また、その外観の斜視図を図１０に示す。この積層コモンモードチョークコイル２０は、図１〜図３を参照して説明した第１実施例である積層コモンモードチョークコイル１０において、セラミックス積層体１０ａのセラミックス層１１，…，１１の積層方向に関して、第１コイルＬａの巻回方向と第２コイルＬｂの巻回方向とが互いに逆となるように、コイル導体１３ａ，１３ｂをビアホール導体１４ａ，１４ｂで電気的に接続するようにしたものである。それ以外の構成は第１実施例の積層コモンモードチョークコイル１０と同じである。よって、図９及び図１０において、図１及び図２に対応する部分には同じ符号を付して示し、重複した説明は省略する。
【００３８】
第２実施例である積層コモンモードチョークコイル２０及び第１実施例である積層コモンモードチョークコイル１０の、コモンモード及びノーマルモードにおけるインピーダンス−周波数特性を図１１に示す。この図１１において、曲線ｔｃ及びｔｎは本実施例の、コモンモード及びノーマルモードにおけるインピーダンス−周波数特性をそれぞれ示している。また、曲線ｈｃ及びｈｎは第１実施例の、コモンモード及びノーマルモードにおけるインピーダンス−周波数特性を示している。
【００３９】
図１１から明らかなように、第２実施例である積層コモンモードチョークコイル２０では、第１実施例である積層コモンモードチョークコイル１０に比較して、ノーマルモードにおいて、より高い周波数域におけるインピーダンス−周波数特性が改善されていることが分かる。
【００４０】
（その他の実施例）
本発明に係る積層コモンモードチョークコイルは前記実施例に限定されるものではなく、その要旨の範囲内で種々の構成とすることができる。
【００４１】
例えば、第１実施例の積層コモンモードチョークコイル１０において、第１コイルＬａのコイル導体１３ａと第２コイルＬｂのコイル導体１３ｂは、図１２に示すように、別個のセラミックス層１１ａ，１１ｂに形成するようにしてもよい。
【００４２】
また、第１コイルＬａのコイル導体１３ａと第２コイルＬｂのコイル導体１３ｂのパターン形状は、図１３に示すような円弧状を有していてもよい。また、図１４に示すような楕円を構成する弧の形状を有していてもよい。さらに、セラミックス層１１の材料としては、既に述べたような磁性体材料のほか、非磁性体材料を使用することもできる。
【図面の簡単な説明】
【００４３】
【図１】本発明に係る積層コモンモードチョークコイルの第１実施例を示す分解斜視図である。
【図２】図１の積層コモンモードチョークコイルの全体の外観を示す示す斜視図である。
【図３】図１の積層コモンモードチョークコイルの第１コイルと第２コイルの位置関係を示す説明図である。
【図４】図５とともに図１の積層コモンモードチョークコイルの第１コイルと第２コイルの重なりの割合を示す説明図である。
【図５】図４とともに図１の積層コモンモードチョークコイルの第１コイルと第２コイルの重なりの割合を示す説明図である。
【図６】比較例２の第１コイルと第２コイルの配置関係を示す説明図である。
【図７】本発明に係る積層コモンモードチョークコイルの第１実施例及び特許文献１に記載のコモンモードチョークコイル（比較例１）の電気特性図である。
【図８】本発明に係る積層コモンモードチョークコイルの第１実施例及び特許文献２に記載のコモンモードチョークコイル（比較例２）の電気特性図である。
【図９】本発明に係る積層コモンモードチョークコイルの第２実施例を示す分解斜視図である。
【図１０】図９の積層コモンモードチョークコイルの外観を示す斜視図である。
【図１１】本発明に係る積層コモンモードチョークコイルの第１実施例及び第２実施例の電気特性図である。
【図１２】本発明に係る積層コモンモードチョークコイルの他の実施例を示す分解斜視図である。
【図１３】本発明に係る積層コモンモードチョークコイルの他の実施例において採用することができる第１コイル及び第２コイルのコイル導体のパターンの説明図である。
【図１４】本発明に係る積層コモンモードチョークコイルのさらに他の実施例において採用することができる第１コイル及び第２コイルのコイル導体のパターンの説明図である。
【図１５】コモンモードチョークコイルの一般的な回路構成を示す回路図である。
【図１６】従来の積層型コモンモードチョークコイルの外観を示す斜視図である。
【図１７】図１６の積層型コモンモードチョークコイルの構造を示す縦断面図である。
【図１８】図１６の積層型コモンモードチョークコイルの分解斜視図である。
【図１９】従来のいま一つの積層チップコモンモードチョークコイルの分解斜視図である。
【符号の説明】
【００４４】
１ａ，１ｂ…入力側外部電極
２ａ，２ｂ…出力側外部電極
１０…積層コモンモードチョークコイル
１０ａ…セラミックス積層体
１１，１２…磁性体セラミックス層
１３ａ，１３ｂ…コイル導体
１４ａ，１４ｂ…ビアホール導体
２０…積層コモンモードチョークコイル
Ｌａ…第１コイル
Ｌｂ…第２コイル
【図１】
0004752368.tif 000003
【図２】
0004752368.tif 000004
【図３】
0004752368.tif 000005
【図４】
0004752368.tif 000006
【図５】
0004752368.tif 000007
【図６】
0004752368.tif 000008
【図７】
0004752368.tif 000009
【図８】
0004752368.tif 000010
【図９】
0004752368.tif 000011
【図１０】
0004752368.tif 000012
【図１１】
0004752368.tif 000013
【図１２】
0004752368.tif 000014
【図１３】
0004752368.tif 000015
【図１４】
0004752368.tif 000016
【図１５】
0004752368.tif 000017
【図１６】
0004752368.tif 000018
【図１７】
0004752368.tif 000019
【図１８】
0004752368.tif 000020
【図１９】
0004752368.tif 000021